(57)【要約】      （修正有）【課題】マンションなどの集合住宅において、気軽に導入することができ、宅配業界の再配達問題解消の一翼を担うことができる宅配ボックスを提供する。【解決手段】宅配ボックス１０Ａは、マンションなどの集合住宅の各住戸の玄関の扉の外側にそれぞれ設けられた水道メーター１３及びガスメーター１４が内蔵されるメーターボックス１６の扉１７に、この扉１７の施錠及び解錠が可能な錠１８が設けられ、メーターボックス１６の内部の空きスペース１９に、宅配物が収納可能とされた構成とされている。錠１８は、ダイヤル錠である。このダイヤル錠のダイヤルの並びが解錠ナンバーでない場合、この錠１８の一端部から係合突起１８ａが突出し、メーターボックス１６の扉１７の周囲の枠材２２に設けた係合止部２３の穴に嵌まり込んで、メーターボックス１６の扉１７は施錠状態となり、この扉１７は、取手２４を掴んでも開けることができない状態となる。【選択図】図２
0003213566.tif 000002
【実用新案登録請求の範囲】
【請求項１】
集合住宅の各住戸の玄関の外側にそれぞれ設けられた少なくとも水道メーターが内蔵されるメーターボックスの扉に、当該扉の施錠及び解錠が可能な錠が設けられ、前記メーターボックスの内部の空きスペースに、宅配物が収納可能とされていることを特徴とする宅配ボックス。
【請求項２】
前記錠は、ナンバー錠であることを特徴とする請求項１記載の宅配ボックス。
【請求項３】
前記ナンバー錠は、ダイヤル錠であることを特徴とする請求項２に記載の宅配ボックス。
【請求項４】
前記空きスペースに、宅配物を置く台、又は宅配物を入れる箱が設けられていることを特徴とする請求項１乃至３のいずれか１項に記載の宅配ボックス。
【請求項５】
前記扉には、宅配業者の受信装置に受領確認の情報信号を送信することが可能な発信器付きの受領確認用ボタンが設けられていることを特徴とする請求項１乃至４のいずれか１項に記載の宅配ボックス。
【考案の詳細な説明】
【技術分野】
【０００１】
本考案は、マンションなどの集合住宅に適用される宅配ボックスに関するものである。
【背景技術】
【０００２】
近年、通信販売の活況などもあって、宅配業者の宅配業務の量が凄まじい勢いで急増してきている。
【０００３】
一方で、配達先となる各世帯は、独身者や夫婦共働きが多くなってきており、宅配業者の配達員は、通常、朝から夕方にかけて荷物を配達するが、居住者が留守で、再配達を行わなければならないケースが多発し、宅配業者の配達員不足の問題などもあいまって、現在、大きな社会的問題になっている。
【０００４】
一部の比較的新しいマンションなどの集合住宅では、エントランスなどに不在者用の宅配ボックスが設けられ、対策されているが、未だ多くのマンションなどの集合住宅では、このような宅配ボックスはなく、居住者が不在の場合、宅配業者の配達員は、荷物を再配達することを余儀なくされている。
【０００５】
例えば、特許文献１には、集合住宅のそれぞれの住戸の玄関に対応した宅配ボックスを設ける技術が開示されている。
【０００６】
しかしながら、この特許文献１に開示された従来技術は、集合住宅の内部構造を一部変更し、それなりの高いコストがかかるので、容易に導入することはできないと思われる。
【先行技術文献】
【特許文献】
【０００７】
【特許文献１】特開２０１４−４６１３７号公報
【考案の概要】
【考案が解決しようとする課題】
【０００８】
本考案は、以上のような従来の問題を解消するためのものであって、その課題は、マンションなどの集合住宅において、容易に導入することができ、宅配業界の再配達問題解消の一翼を担うことができる宅配ボックスを提供することにある。
【課題を解決するための手段】
【０００９】
前記課題を解決するために、請求項１記載の考案にあっては、集合住宅の各住戸の玄関の外側にそれぞれ設けられた少なくとも水道メーターが内蔵されるメーターボックスの扉に、当該扉の施錠及び解錠が可能な錠が設けられ、前記メーターボックスの内部の空きスペースに、宅配物が収納可能とされていることを特徴とする。
従って、例えば、国内に多数存在する宅配ボックスを有しないマンションなどの集合住宅のメーターボックスを、その扉に錠を設けることにより、この宅配ボックスに改造することができる。
【００１０】
請求項２記載の考案にあっては、前記錠は、ナンバー錠であることを特徴とする。
従って、例えば、前記扉の前記錠は、この宅配ボックス内に、宅配物が入っていないときは、解錠された状態としておき、宅配業者の配達員が宅配物を入れた場合は、施錠してもらうように取り決め、その住戸の居住者は勿論のこと、少なくとも水道メーターの検針員が前記ナンバー錠の解錠ナンバーを知っていれば、検針員による検針と、居住者が不在時の宅配物の入荷との両方が行える。
【００１１】
請求項３記載の考案にあっては、前記ナンバー錠は、ダイヤル錠であることを特徴とする。
従って、前記ナンバー錠の中でも、ダイヤル錠は、比較的低価格で入手することができる。
【００１２】
請求項４記載の考案にあっては、前記空きスペースに、宅配物を置く台、又は宅配物を入れる箱が設けられていることを特徴とする。
従って、宅配物を置く台、又は宅配物を入れる箱により、宅配物が汚れ難い状態となる。
【００１３】
請求項５記載の考案にあっては、前記扉には、宅配業者の受信装置に受領確認の情報信号を送信することが可能な発信器付きの受領確認用ボタンが設けられていることを特徴とする。
従って、不在時にこの宅配ボックス内に宅配物が入っていた場合は、その住戸の居住者は、宅配物を取り出すに際し、前記受領確認用ボタンを押せば、受領確認の情報信号が、宅配業者の受信装置に送信される。
【考案の効果】
【００１４】
請求項１記載の宅配ボックスにあっては、集合住宅の各住戸の玄関の外側にそれぞれ設けられた少なくとも水道メーターが内蔵されるメーターボックスの扉に、当該扉の施錠及び解錠が可能な錠が設けられ、前記メーターボックスの内部の空きスペースに、宅配物が収納可能とされた構成とされている。
従って、例えば、国内に多数存在する宅配ボックスを有しないマンションなどの集合住宅のメーターボックスを、その扉に錠を設けることにより、この宅配ボックスに改造することができる。
その結果、例えば、国内に多数存在する宅配ボックスを有しないマンションなどの集合住宅のメーターボックスを、その扉に錠を設けることにより、この宅配ボックスに改造することができるので、低コストで、容易に導入することができ、宅配業界の再配達問題解消の一翼を担うことができる。
【００１５】
請求項２記載の宅配ボックスにあっては、前記錠は、ナンバー錠である。
従って、例えば、前記扉の前記錠は、この宅配ボックス内に、宅配物が入っていないときは、解錠された状態としておき、宅配業者の配達員が宅配物を入れた場合は、施錠してもらうように取り決め、その住戸の居住者は勿論のこと、少なくとも水道メーターの検針員が前記ナンバー錠の解錠ナンバーを知っていれば、検針員による検針と、居住者が不在時の宅配物の入荷との両方が行える。
その結果、例えば、前記扉の前記錠は、この宅配ボックス内に、宅配物が入っていないときは、解錠された状態としておき、宅配業者の配達員が宅配物を入れた場合は、施錠してもらうように取り決め、その住戸の居住者は勿論のこと、少なくとも水道メーターの検針員が前記ナンバー錠の解錠ナンバーを知っていれば、検針員による検針と、居住者が不在時の宅配物の入荷との両方が行えるので、本来のメーターボックスとしての役割を支障なくこなせるうえで、その住戸の居住者が不在時の宅配ボックスとして利用することができる。
【００１６】
請求項３記載の宅配ボックスにあっては、前記ナンバー錠は、ダイヤル錠である。
従って、前記ナンバー錠の中でも、ダイヤル錠は、比較的低価格で入手することができる。
その結果、前記ナンバー錠の中でも、ダイヤル錠は、比較的低価格で入手することができるので、より低コストとなり、更に容易に導入することができる。
【００１７】
請求項４記載の宅配ボックスにあっては、前記空きスペースに、宅配物を置く台、又は宅配物を入れる箱が設けられている。
従って、宅配物を置く台、又は宅配物を入れる箱により、宅配物が汚れ難い状態となる。
その結果、宅配物を置く台、又は宅配物を入れる箱により、宅配物が汚れ難い状態となるので、宅配ボックスとして宅配物を極力綺麗に保たせる機能を持たせることができる。
【００１８】
請求項５記載の宅配ボックスにあっては、前記扉には、宅配業者の受信装置に受領確認の情報信号を送信することが可能な発信器付きの受領確認用ボタンが設けられている。
従って、不在時にこの宅配ボックス内に宅配物が入っていた場合は、その住戸の居住者は、宅配物を取り出すに際し、前記受領確認用ボタンを押せば、受領確認の情報信号が、宅配業者の受信装置に送信される。
その結果、不在時にこの宅配ボックス内に宅配物が入っていた場合は、その住戸の居住者は、宅配物を取り出すに際し、前記受領確認用ボタンを押せば、受領確認の情報信号が、宅配業者の受信装置に送信されるので、宅配業者への受領確認を、簡単に行うことができる。
【図面の簡単な説明】
【００１９】
【図１】図１は、本考案の第１実施形態の宅配ボックスを備えたマンションの概略構成を示す正面図である。
【図２】図２は、本考案の第１実施形態の宅配ボックスを拡大して示す拡大図である。
【図３】図３は、図２において、扉を開いた状態を示す図である。
【図４】図４は、本考案の第１実施形態に使用されるダイヤル錠の施錠状態を示す正面図である。
【図５】図５は、本考案の第１実施形態に使用されるダイヤル錠の解錠状態を示す正面図である。
【図６】図６は、本考案の第２実施形態の宅配ボックスを拡大して示す拡大図である。
【考案を実施するための形態】
【００２０】
以下、本考案に係る宅配ボックスを、第１実施形態及び第２実施形態に基づき、図面を参照して説明する。
【００２１】
［第１実施形態］
先ず、第１実施形態の構成について説明する。
図１〜図５は、本考案の第１実施形態の概略構成を示している。
【００２２】
この第１実施形態の宅配ボックス１０Ａは、図１〜図３に示したように、マンションなどの集合住宅１５の各住戸１１ａ，１１ｂ，・・・の玄関の扉１２の外側にそれぞれ設けられた水道メーター１３及びガスメーター１４が内蔵されるメーターボックス１６の扉１７に、この扉１７の施錠及び解錠が可能な錠１８が設けられ、メーターボックス１６の内部の空きスペース１９に、宅配物２０が収納可能とされた構成とされている。
【００２３】
ここでは、錠１８は、ナンバー錠であり、更に具体的には、図４及び図５に示したように、ダイヤル錠である。
【００２４】
このダイヤル錠の錠１８のダイヤル２１，・・・の並びが解錠ナンバーでない場合、図２及び図４に示したように、この錠１８の一端部から係合突起１８ａが突出し、メーターボックス１６の扉１７の周囲の枠材２２に設けた係合止部２３の穴に嵌まり込んで、メーターボックス１６の扉１７は施錠状態となり、この扉１７は、取手２４を掴んでも開けることができない状態となる。
【００２５】
このダイヤル錠の錠１８のダイヤル２１，・・・の並びが解錠ナンバー（ここでは、１７１７）である場合は、図５に示したように、この錠１８の一端部から係合突起１８ａが内部に収納され、メーターボックス１６の扉１７の周囲の枠材２２に設けた係合止部２３の穴から外れて、メーターボックス１６の扉１７は解錠状態となり、この扉１７は、取手２４を掴んで開けることができる状態となる。
【００２６】
また、メーターボックス１６の内部の水道メーター１３及びガスメーター１４と、水道メーター１３が接続される水道管２５と、ガスメーター１４が接続されるガス管２６とが無い空きスペース１９には、宅配物２０を置く台２７が設けられている。
【００２７】
ここでは、扉１７の錠１８は、この宅配ボックス１０Ａ内に、宅配物２０が入っていないときは、解錠された状態としておき、宅配業者の配達員が宅配物を入れた場合は、施錠してもらうように取り決め、集合住宅１５の住戸１１ａ，１１ｂ，・・・の居住者は勿論のこと、水道メーター１３の検針員及びガスメーター１４の検針員が錠１８の解錠ナンバーを知っている状態にしておく。
【００２８】
これにより、宅配業者の配達員が、インターフォン２８を鳴らしても、住戸１１ａ，１１ｂ，・・・の居住者が出てこず、不在である場合は、錠１８が解錠状態である扉１７を開け、台２７の上に宅配物２０を置き、扉１７を閉めてから、錠１８のダイヤル２１，・・・を解錠ナンバーでない並びとして施錠状態とする。
【００２９】
その後、居住者が帰宅してきたときに、郵便ポストに入っていた不在者通知から宅配物２０が宅配ボックス１０Ａ内にあることを知り、錠１８を解錠し、扉１７を開け、宅配物２０を取り出す。
【００３０】
そして、受領確認は、不在者通知に書いてある連絡先に電話で連絡したり、添付された受領確認書信を郵送したりして完了する。
【００３１】
なお、水道メーター１３の検針員やガスメーター１４の検針員は、宅配物２０が宅配ボックス１０Ａ内に入ってないときは、そのまま扉１７を開いて、検針作業を行うことができる。
【００３２】
また、宅配物２０が宅配ボックス１０Ａ内に入っていたときは、知っている解錠ナンバーで錠１８を解錠し、扉１７を開いて、検針作業を行い、作業後は扉１７を開けたままにしておく。
【００３３】
次に、この第１実施形態の作用効果について説明する。
【００３４】
この本考案の第１実施形態の宅配ボックス１０Ａは、図１〜図５に示したように、マンションなどの集合住宅１５の各住戸１１ａ，１１ｂ，・・・の玄関の扉１２の外側にそれぞれ設けられた水道メーター１３及びガスメーター１４が内蔵されるメーターボックス１６の扉１７に、この扉１７の施錠及び解錠が可能な錠１８が設けられ、メーターボックス１６の内部の空きスペース１９に、宅配物２０が収納可能とされた構成とされている。
【００３５】
従って、例えば、国内に多数存在する宅配ボックスを有しないマンションなどの集合住宅のメーターボックスを、その扉に錠を設けることにより、この宅配ボックス１０Ａに改造することができる。
【００３６】
その結果、例えば、国内に多数存在する宅配ボックスを有しないマンションなどの集合住宅のメーターボックスを、その扉に錠を設けることにより、この宅配ボックス１０Ａに改造することができるので、低コストで、容易に導入することができ、宅配業界の再配達問題解消の一翼を担うことができる。
【００３７】
ここで、この宅配ボックス１０Ａを構成する錠１８は、ナンバー錠である。
【００３８】
従って、扉１７の錠１８は、この宅配ボックス１０Ａ内に、宅配物２０が入っていないときは、解錠された状態としておき、宅配業者の配達員が宅配物２０を入れた場合は、施錠してもらうように取り決め、その住戸１１ａ，１１ｂ，・・・の居住者は勿論のこと、水道メーター１３の検針員及びガスメーター１４の検針員が錠１８の解錠ナンバーを知っていれば、検針員による検針と、居住者が不在時の宅配物２０の入荷との両方が行える。
【００３９】
その結果、扉１７の錠１８は、この宅配ボックス１０Ａ内に、宅配物２０が入っていないときは、解錠された状態としておき、宅配業者の配達員が宅配物２０を入れた場合は、施錠してもらうように取り決め、その住戸１１ａ，１１ｂ，・・・の居住者は勿論のこと、水道メーター１３の検針員及びガスメーター１４の検針員が錠１８の解錠ナンバーを知っていれば、検針員による検針と、居住者が不在時の宅配物２０の入荷との両方が行えるので、本来のメーターボックス１６としての役割を支障なくこなせるうえで、その住戸１１ａ，１１ｂ，・・・の居住者が不在時の宅配ボックス１０Ａとして利用することができる。
【００４０】
さらに具体的には、この錠１８は、ナンバー錠に分類されるダイヤル錠である。
【００４１】
従って、ナンバー錠の中でも、ダイヤル錠は、比較的低価格で入手することができる。
【００４２】
その結果、ナンバー錠の中でも、ダイヤル錠は、比較的低価格で入手することができるので、より低コストとなり、更に容易に導入することができる。
【００４３】
また、空きスペース１９には、宅配物２０を置く台２７が設けられている。
【００４４】
従って、宅配物２０を置く台２７により、宅配物２０が汚れ難い状態となる。
【００４５】
その結果、宅配物２０を置く台２７により、宅配物２０が汚れ難い状態となるので、宅配ボックスとして宅配物２０を極力綺麗に保たせる機能を持たせることができる。
【００４６】
［第２実施形態］
次に、第２実施形態について説明する。
【００４７】
なお、第１実施形態で説明した内容と同一乃至均等な部分の説明については同一符号を付して説明する。
【００４８】
図６は、本考案の第２実施形態の宅配ボックス１０Ｂの概略構成を示している。
【００４９】
この第２実施形態の宅配ボックス１０Ｂでは、図６に示したように、扉１７の内側面には、宅配業者の図示省略の受信装置に受領確認の情報信号を送信することが可能な発信器２９ａ付きの受領確認用ボタン２９が設けられている。
【００５０】
従って、不在時にこの宅配ボックス１０Ｂ内に宅配物２０が入っていた場合は、その住戸１１ａ，１１ｂ，・・・の居住者は、宅配物２０を取り出すに際し、受領確認用ボタン２９を押せば、受領確認の情報信号が、宅配業者の受信装置に送信される。
【００５１】
その結果、不在時にこの宅配ボックス１０Ｂ内に宅配物が入っていた場合は、その住戸１１ａ，１１ｂ，・・・の居住者は、宅配物２０を取り出すに際し、受領確認用ボタン２９を押せば、受領確認の情報信号が、宅配業者の受信装置に送信されるので、宅配業者への受領確認を、簡単に行うことができる。
【００５２】
なお、他の構成及び作用効果については、第１実施形態と略同様であるので説明を省略する。
【００５３】
以上、本考案に係る宅配ボックスの第１実施形態及び第２実施形態について図面を参照して詳述してきたが、具体的な構成は、これら第１実施形態及び第２実施形態に限らず、本考案の要旨を逸脱しない程度の設計的変更は、本考案に含まれる。
【００５４】
例えば、上記した第１実施形態及び第２実施形態では、錠１８として、ダイヤル錠を用いたが、これに限定されず、押しボタン式の電子錠などを用いて実施してもよい。
【００５５】
また、ナンバー錠にも限定されず、キーを必要とする南京錠などを用いて実施してもよい。
【００５６】
さらに、上記した第１実施形態及び第２実施形態では、空きスペース１９に台２７を設けたが、これに限定されず、宅配物２０を入れる箱などを設けて実施してもよい。
【００５７】
また、上記した第１実施形態及び第２実施形態では、メーターボックス１６内に水道メーター１３及びガスメーター１４がある場合としたが、これに限定されず、例えば、オール電化の集合住宅では、水道メーター１３のみなので、この場合にも実施することができる。
【００５８】
さらに、既設の集合住宅だけでなく、新築の集合住宅に適用して実施してもよい。
【産業上の利用可能性】
【００５９】
本考案に係る宅配ボックスは、マンションなどの集合住宅へ広く実施することができるので、産業上の利用可能性を有している。
【符号の説明】
【００６０】
１０Ａ    宅配ボックス
１０Ｂ    宅配ボックス
１１ａ    住戸
１１ｂ    住戸
１２      玄関の扉
１３      水道メーター
１４      ガスメーター
１５      集合住宅
１６      メーターボックス
１７      扉
１８      錠
１８ａ    係合突起
１９      空きスペース
２０      宅配物
２１      錠のダイヤル
２２      枠材
２３      係合止部
２４      扉の取手
２５      水道管
２６      ガス管
２７      台
２８      インターフォン
２９      受領確認用ボタン
２９ａ    発信器
【図１】
0003213566.tif 000003
【図２】
0003213566.tif 000004
【図３】
0003213566.tif 000005
【図４】
0003213566.tif 000006
【図５】
0003213566.tif 000007
【図６】
0003213566.tif 000008